(57)【要約】  【課題】  吸い込み口と吹き出し口を連通する通風路に送風機と加湿フィルタが配置され、水槽の水を加湿フィルタで吸い上げ送風機からの送風が加湿フィルタを通過することによって周囲の空気を加湿する加湿器があるが、加湿フィルタの吸湿効果を得るために界面活性剤が含まれ、加湿器の使用期間の経過によって界面活性剤が水槽内の水に溶け出し、加湿フィルタを通過する強風によって、溶けた界面活性剤が加湿フィルタの送風出口側に泡立ち現象を生じる虞がある。本発明は、この問題を解決するものである。  【解決手段】  水槽の水中に下部が浸された加湿フィルタを通過する送風によって周囲の空気を加湿する加湿器において、加湿フィルタの送風出口側面での泡立ちを防止するよう、加湿フィルタの送風出口側における水槽の水面を伝う送風を制限すること。【選択図】  図４
2006046795.tif 000002
【特許請求の範囲】
【請求項１】
加湿器本体の下部には水槽が設けられ、吸い込み口と吹き出し口を連通する通風路に送風機と水槽の水中に下部が浸された加湿フィルタとが配置され、前記加湿フィルタを通過する送風によって周囲の空気を加湿する加湿器において、前記加湿フィルタの送風出口側面での泡立ちを防止するよう、前記加湿フィルタの送風出口側における前記水槽の水面を伝う送風を制限したことを特徴とする加湿器。
【請求項２】
加湿器本体の下部には水槽が設けられ、吸い込み口と吹き出し口を連通する通風路に送風機と水槽の水中に下部が浸された加湿フィルタとが配置され、前記送風機からの送風が前記加湿フィルタを通過することによって周囲の空気を加湿する加湿器において、前記加湿フィルタは、前記水槽の水を毛細管作用によって吸い上げる繊維構成の吸水シート相互間に前記送風の多数の通気路が構成されたフィルタブロックと、このフィルタブロックを取り囲むフレームを備え、前記通気路のうち前記フィルタブロック下部の通気路を前記フレーム部分によって前記加湿フィルタの送風出口側での泡立ち防止高さまで塞いだことを特徴とする加湿器。
【請求項３】
加湿器本体の下部には水槽が設けられ、吸い込み口と吹き出し口を連通する通風路に送風機と水槽の水中に下部が浸された加湿フィルタとが配置され、前記送風機からの送風が前記加湿フィルタを通過することによって周囲の空気を加湿する加湿器において、前記加湿フィルタの送風出口面又は送風入口面に近接又は当接して、前記加湿フィルタの送風出口側における前記水槽の水面を伝う送風を制限する泡立ち防止壁を前記水槽の底壁から水面上に突出配置したことを特徴とする加湿器。
【発明の詳細な説明】
【技術分野】
【０００１】
本発明は、送風機による送風が加湿フィルタを通過することにより周囲の空気を加湿する加湿器に関し、特に、強い送風を得るようにした場合に加湿フィルタの送風出口側に生じ易くなる泡立ちを防止する技術に関する。
【背景技術】
【０００２】
吸い込み口と吹き出し口が加湿器本体に形成され、この加湿器本体の下部には水槽が設けられ、吸い込み口と吹き出し口を連通する通風路に送風機と加湿フィルタが配置され、水槽の水を加湿フィルタで吸い上げ、送風機からの送風が加湿フィルタを通過することによって周囲の空気を加湿する加湿器がある。（例えば、特許文献１参照）。
【特許文献１】特開２００３−３５４４３号公報
【発明の開示】
【発明が解決しようとする課題】
【０００３】
特許文献１のように、水槽の水を吸い上げるタイプの加湿フィルタでは、吸湿効果を得るために界面活性剤による処理がなされており、加湿器の使用期間の経過によって、この界面活性剤が水槽内の水に溶け出す。加湿フィルタの通風路が小さく、加湿フィルタの送風出口側において水槽水面部分に水膜が形成される場合には、加湿フィルタを通過する風によって、溶けた界面活性剤が加湿フィルタの送風出口側において泡立ち現象を生じる虞がある。
【０００４】
また、加湿フィルタの通風路が比較的大きくても、加湿効果を促進するために、送風機の回転数を高くして強送風状態にした場合、加湿フィルタの下部は水槽の水中に浸された状態であるため、加湿フィルタの送風入口側の静圧が高くなって、加湿フィルタの送風入口側の水槽の水位よりも、加湿フィルタの送風出口側の水槽の水位が若干高くなることがある。このため、加湿フィルタの送風出口側の部分では通風路が小さくなって、水面上に水膜が張った状態となり、加湿フィルタを通過する強風によって、溶けた界面活性剤により加湿フィルタの送風出口側に泡立ち現象を生じる虞がある。
【０００５】
このような泡立ちは、少なく直ぐに泡が弾ける場合には問題ないが、この泡が次第に蓄積して加湿器内が水濡れ状態となれば、その部分に黴が発生する虞がある。また、このような泡が水槽外にまで溢れ出すようになれば、加湿器の設置周辺部が水濡れ状態となる虞がある。
【０００６】
本発明は、このような点に鑑みて、加湿効果を促進するために、送風機の回転数を高くして強送風状態にした場合にも、加湿フィルタの送風出口側に泡立ちが生じないような構成を提供するものである。
【課題を解決するための手段】
【０００７】
第１の発明は、加湿器本体の下部には水槽が設けられ、吸い込み口と吹き出し口を連通する通風路に送風機と水槽の水中に下部が浸された加湿フィルタとが配置され、前記加湿フィルタを通過する送風によって周囲の空気を加湿する加湿器において、前記加湿フィルタの送風出口側面での泡立ちを防止するよう、前記加湿フィルタの送風出口側における前記水槽の水面を伝う送風を制限したことを特徴とする。
【０００８】
第２の発明は、加湿器本体の下部には水槽が設けられ、吸い込み口と吹き出し口を連通する通風路に送風機と水槽の水中に下部が浸された加湿フィルタとが配置され、前記送風機からの送風が前記加湿フィルタを通過することによって周囲の空気を加湿する加湿器において、前記加湿フィルタは、前記水槽の水を毛細管作用によって吸い上げる繊維構成の吸水シート相互間に前記送風の多数の通気路が構成されたフィルタブロックと、このフィルタブロックを取り囲むフレームを備え、前記通気路のうち前記フィルタブロック下部の通気路を前記フレーム部分によって前記加湿フィルタの送風出口側での泡立ち防止高さまで塞いだことを特徴とする。
【０００９】
第３の発明は、加湿器本体の下部には水槽が設けられ、吸い込み口と吹き出し口を連通する通風路に送風機と水槽の水中に下部が浸された加湿フィルタとが配置され、前記送風機からの送風が前記加湿フィルタを通過することによって周囲の空気を加湿する加湿器において、前記加湿フィルタの送風出口面又は送風入口面に近接又は当接して、前記加湿フィルタの送風出口側における前記水槽の水面を伝う送風を制限する泡立ち防止壁を前記水槽の底壁から水面上に突出配置したことを特徴とする。
【発明の効果】
【００１０】
第１の発明では、送風機の回転数を高くして強送風運転をする構成とした場合にも、加湿フィルタの送風出口側における水槽の水面を伝う送風が制限されるため、加湿フィルタの送風出口側面での泡立ちを防止することができる。
【００１１】
第２の発明は、第１発明の効果のほかに、加湿フィルタのフィルタブロックを取り囲むフレームの一部分によって、フィルタブロック中の通気路の下部の通気路を塞ぐ構成であるため、フレームの形状によって泡立ちが防止できるため、特別な部品を必要とせず、泡立ち防止構造が簡素化される。この場合、好ましくは、加湿フィルタの送風出口側の下部フレームを若干水面よりも高くすることによって達成できるため、水槽に組み合わされる加湿フィルタの取り付け位置が確定すれば、それに合ったフレームの高さ形状とすればよいため、フレームを合成樹脂成形することによって、簡単に対応できるものとなる。
【００１２】
第３の発明では、第１発明の効果のほかに、水槽の水位を基準として泡立ち防止障壁の高さを決めればよいため、合成樹脂製の水槽と一体成形できることとなり、構成が簡単である。
【発明を実施するための最良の形態】
【００１３】
本発明の加湿器は、加湿器本体の下部に水槽が設けられ、吸い込み口と吹き出し口を連通する通風路に送風機と水槽の水中に下部が浸された加湿フィルタとが配置され、前記加湿フィルタを通過する送風によって周囲の空気を加湿する加湿器において、前記加湿フィルタの送風出口側面での泡立ちを防止するよう、前記加湿フィルタの送風出口側における前記水槽の水面を伝う送風を制限したものであり、以下に本発明の実施形態を記載する。
【実施例１】
【００１４】
次に、本発明の実施の形態について説明する。図１は本発明に係る加湿器の正面斜視図、図２は本発明に係る加湿器の前面パネルを外した状態の本体正面斜視図、図３はは本発明に係る加湿器の前面パネルを外した状態で水槽を引き出した状態の本体正面斜視図、図４に本発明に係る加湿器の送風機対応部分の縦断側面図、図５は本発明に係る加湿器の水槽を収納した状態の水位検出電極の配置を示す縦断側面図である。以下、実施例１について説明する。
【００１５】
図において、加湿器１は、前面開口の本体２と、この前面開口を塞ぐように本体２の前面に取り外し自在に取り付けられた前面パネル３とで筐体を構成している。本体２の上面には折り畳み自在に取っ手１Ａが設けられている。前面パネル３の左右両側には上下に下方に屈曲した鉤部３Ａを備え、本体２の前面の左右両側には、上下にこの鉤部３Ａが上方から引っ掛かる縦長の係止孔２Ａが形成されている。この構成によって、前面パネル３が本体２の前面に取り外し自在に取り付けられる。
【００１６】
加湿器本体２内は、下部に水槽収納部２Ｓが形成され、その上方に仕切り板１６によって囲まれた送風室２Ｆが形成され、送風室２Ｆの右隣にタンク収納室１８が形成されている。加湿器本体２の下部の水槽収納部２Ｓには、上面開口の合成樹脂製の水槽６が設けられ、前面パネル３を取り外した状態で、水槽６は前面下部の取っ手６Ｂによって、加湿器本体２に対して前後にスライド式にて引き出し収納自在である。本体２内下部は水槽収納部２Ｓとタンク収納室１８が区画壁４１によって左右に区画されている。区画壁４１に対応して水槽６には後方へ開いた窪み４８があり、水槽６を本体２に収納したとき区画壁４１が窪み４８に進入して水槽６の左右のぶれを抑制する作用をする。水槽６内は左側にフィルタ室６Ｆ、右側にタンク室６Ｔとなるように区画壁６Ｃで区分形成しており、フィルタ室６Ｆ内にはその中の水に下部が浸る状態に加湿フィルタ７が設けられ、加湿フィルタ７はフィルタ室６Ｆ内の左右側壁下部に形成した前後のリブ６Ｄ間に取り外し自在に支持されている。
【００１７】
水槽６が加湿器本体２の前方からスライドにて水槽収納部２Ｓに収納された状態で、本体２の上面右側部に設けた開閉蓋１７を開いて、タンク収納室１８に上方から給水タンク１９を挿入することにより、給水タンク１９が水槽６のタンク室６Ｔに収納される。この収納によって給水タンク１９はその重量によって底部がタンク室６Ｔ内の凹部６Ａにセットされる。それによって給水タンク１９の底部に設けたバルブが開いて給水タンク１９内の水が水槽６内へ供給され、水槽６内の凹部６Ａと、凹部６Ａと連通したフィルタ室６Ｆには所定水位が維持される構成である。給水タンク１９は内部の水が透視可能な合成樹脂製であり、タンク室１８に収納された状態で前面パネル３の裏側に近接し、前面パネル３に形成した縦長窓3Ｂを通して給水タンク１９内の水位が視認できる状態である。
【００１８】
送風室２Ｆ内には、電動機１１によって回転する送風機８が収納されている。送風機８は、加湿フィルタ７の空気入口側に十分な空気の静圧を得るために、電動機１１によって回転する遠心型送風機が採用され、その代表として、シロッコファンやターボファンがあり、実施例の加湿器１は、横長の一つのシロッコファン８Ａで構成しており、シロッコファン８Ａは、送風室２Ｆ内において水槽６に向けて開口１５Ａしたファンケーシング１５で形成した送風機室１５Ｆ内に設けられている。シロッコファン８Ａはその周縁部に左右方向軸１３に平行に延びた多数の羽根１４を備え、シロッコファン８Ａは左右の中央部にボス部を有する支持用円盤１２を設け、この支持用円盤１２のボス部に取り付けた左右方向軸１３には、ファンケーシング１５外において電動機１１が取り付けられている。正面視において、シロッコファン８Ａは左側面と右側面が空気の吸い込み側であり、吸い込んだ空気は羽根１４間から遠心方向へ送出される。シロッコファン８Ａから送出される送風は、開口１５Ａから下方の水槽６に向けて矢印のように流れる。
【００１９】
加湿器１には、空気の吸い込み口４と加湿空気の吹き出し口５が形成されており、この加湿器１内には、吸い込み口４と吹き出し口５を連通するように通風路１０が形成されている。通風路１０は、吸い込み口４からファンケーシング１５内の送風機室１５Ｆへ連通する通路と、送風機室１５Ｆから開口１５Ａを通って水槽６内の加湿フィルタ７の空気入口側に至る通路と、加湿フィルタ７の前面の空気出口側から吹き出し口５へ至る通路（前面パネル３の裏側とファンケーシング１５の前方の仕切り板１６との間の通路）によって一連の通風路１０を形成している。
【００２０】
このような構成によって、通風路１０には通気性の加湿フィルタ７とその上方に送風機８が配置された構成である。吸い込み口４はフィルタ９を備えていて本体２の背面と左側面に渡って形成され、また、吹き出し口５は前面パネル３の上部に形成されている。吹き出し口５には、複数の縦桟３３と複数の横桟３４とで構成した吹き出し口カバー３５が設けられている。２０は水槽６の後方の閉じられた空間に形成した電装ボックスであり、その中に電装品２０Ａを収納している。
【００２１】
加湿フィルタ７は、水槽６の水を毛細管作用によって吸い上げる繊維構成の吸水シート７Ｂ１、７Ｂ２相互間に送風機８からの送風が通過する多数の通気路７Ｃが構成されたフィルタブロック７Ｂと、このフィルタブロック７Ｂを取り囲むフレーム７Ａを備えた構成である。具体的には、このフィルタブロック７Ｂは、所定間隔配置の縦方向仕切り７Ｂ１と、この仕切り７Ｂ１、７Ｂ１相互間に配置した波型仕切り７Ｂ２によって、加湿フィルタ７の前後面に開口した多数の通気路７Ｃを形成した構成である。縦方向仕切り７Ｂ１と波型仕切り７Ｂ２は、化学繊維製の不織布構成であり、下部が水槽６内の水中に没して毛細管作用によって水槽６内の水を吸い上げ、送風機８によって供給される送風が通気路７Ｃを通過する間に、この吸い上げられた水が気化して湿気を帯びた空気となって加湿フィルタ７の前面側へ送出され、通風路１０を上昇して湿気を含む空気として吹き出し口５から加湿器１外に送出され、加湿器１が設置された室内の空気を加湿する。
【００２２】
水槽６内の水位検出は、電極４０によって行われる。水槽６は上記のように加湿器１の本体２内に引き出し自在に収納される形態である。このため、水位検出電極４０は、水槽６の収納状態では水槽６内の水中に浸るような所定位置へ進入し、水槽６を引き出し状態では水槽６外に退避するよう、水槽６の収納と引き出し動作に伴って回動可能に加湿器本体２に支持された構成である。このため水槽収納部２Ｓの後部壁には、電極４０が常時上方位置へ回動するようにバネ４５力が付された電極ホルダ４２を回動自在に設けている。電極ホルダ４２は、中間部を水槽収納部２Ｓの後部壁に回動可能に軸４４で支持され、前方に向く電極保持辺４２Ａと下方に向く作動辺４２Ｂとを備え、バネ４５によって電極４０が図５に点線で示すように、常時上方位置へ回動するように電極ホルダ４２が附勢されている。また、水槽６を水槽収納部２Ｓに収納するとき、電極ホルダ４２を押し圧して回動させるための押し圧部４６を水槽６の後部、即ち後壁から後方へ略水平に突出して設けている。
【００２３】
この構成によって、水槽６が引き出された状態では、コイルバネ４５のバネ力によって図５の点線のように、電極保持辺４２Ａが略水平状態の上位位置に回動して、電極４０が前方に向いた位置で静止しているが、水槽６を水槽収納部２Ｓに収納するにしたがって、電極ホルダ４２の作動辺４２Ｂの先端部が押し圧部４６の押し圧面４７Ａに当接する。この状態から更に水槽６が水槽収納部２Ｓに押し込まれることによって、コイルバネ４５のバネ力に抗して作動辺４２Ｂの先端部４２Ｂ１が押し圧面４７Ａによって押されつつ、作動辺４２Ｂの先端部が押し圧面４７Ａを上方へスライドし、遂に作動辺４２Ｂの先端部が押し圧面４７Ａの上端を通り過ぎて押し圧部４６の上面の保持面４７Ｂに当接する状態となる。この時、電極４０が水槽６内の所定位置へ下降した状態（図５のように略垂直下方に向いた実線位置）となる。この状態から更に水槽６が水槽収納部２Ｓに押し込まれるとき、作動辺４２Ｂの先端部４２Ｂ１は保持面４７Ｂを水平状態でスライドしつつ、遂に水槽６の最終収納位置に到達する。
【００２４】
加湿器１の運転は、電装品２０Ａへの電源供給によって稼動可能であり、本体２の上面前部には横一列に配置した複数のスイッチ２２Ａ〜２２Ｅを備えた操作部２１が設けられている。これらのスイッチ２２Ａ〜２２Ｅは、加湿器１の電源のＯＮ−ＯＦＦ、運転モードの選択、マイナスイオン発生器２５のＯＮ−ＯＦＦ、タイマの設定などを選択するものであり、これらのスイッチの操作に基づき電子回路部品で構成した制御回路部２３が作動して所期の制御が達成されるものである。また湿度センサ（図示せず）の検知に基づき、室内の湿度を液晶表示する湿度表示部２４に表示するようになっている。
【００２５】
加湿器１は、スイッチ２２Ｂによって選択された運転モードを外部から視認できる表示部構成を備える。この表示部構成は、光照射面を前面に向けて制御回路部２３の基盤に横一列に配置した５個の発光ダイオード（ＬＥＤという）３１Ａ〜３１Ｅを備え、この５個の発光ダイオード（ＬＥＤという）３１Ａ〜３１Ｅは、本体２の上部前面に形成した５個の透孔３２Ａ〜３２Ｅにそれぞれ対応配置され、発光ダイオード（ＬＥＤという）３１Ａ〜３１Ｅの光は、それぞれ対応する透孔３２Ａ〜３２Ｅから前方へ照射される。
【００２６】
前面パネル３の上部に形成した吹き出し口５には、複数の縦桟３３と複数の横桟３４とで構成した吹き出し口カバー３５が設けられており、縦桟３３のうち発光ダイオード（ＬＥＤという）３１Ａ〜３１Ｅにそれぞれ対応する縦桟３３Ａ〜３３Ｅに対し、発光ダイオード（ＬＥＤという）３１Ａ〜３１Ｅの光が各透孔３２Ａ〜３２Ｅを通して縦桟３３Ａ〜３３Ｅに導入されることにより、アクリル樹脂のような透光性樹脂によって構成した縦桟３３Ａ〜３３Ｅが光る構成である。
【００２７】
スイッチ２２Ｂのプッシュ操作によって、強風を送るように送風機８が高速回転する強運転となり、もう一度スイッチ２２Ｂのプッシュ操作によって中程度の風を送るように送風機８が中速回転する中運転となり、更にもう一度スイッチ２２Ｂのプッシュ操作によって弱風を送るように送風機８が低速回転する弱運転となる。そして、更にもう一度スイッチ２２Ｂのプッシュ操作によって自動運転状態に切り換わるようになるものである。そして、スイッチ２２Ｂの再度のプッシュ操作によって、上記のように送風機８の運転を強運転、中運転、弱運転に切り替えできるようになる。
【００２８】
ここで、加湿フィルタ７に含まれた界面活性剤が水槽６内に溶け出している状態において、例えば送風機８の運転を強運転にした場合、強風が加湿フィルタ７の通気路７Ｃを通過し、泡立ち防止策を採らない場合は、加湿フィルタ７の送風出口側面での泡立ちが生じる虞があるが、本発明では、加湿フィルタ７の送風出口側面での泡立ちを防止するよう、加湿フィルタ７の送風出口側における水槽６の水面を伝う送風を制限した構成を採用している。
【００２９】
その具体的な構成として、図４及び図５に示すように、加湿フィルタ７を構成するフィルタブロック７Ｂを取り囲むフレーム７Ａのうち、下部に位置したフレーム部分であって加湿フィルタ７の送風出口側に位置するフレーム部分７Ａ１によって、加湿フィルタ７の通気路７Ｃのうち、水槽６の水面Ｌ１付近の通気路７Ｃを加湿フィルタ７の送風出口側での泡立ち防止高さＬ２まで塞いだ構成を採用している。このためフレーム部分７Ａ１は、水槽６の水面Ｌ１と同等位置にある通気路７Ｃから、泡立ちを防止できる所定高さＬ２までの高さにある通気路７Ｃを塞ぐように上下幅を広くしている。
【００３０】
これによって、送風機８の運転を強運転にした場合にも、加湿フィルタ７の送風出口側の水面Ｌ１に沿って送風は制限されて弱く又は遮断される状態となるため、加湿フィルタ７の送風出口側での泡立ちが発生せず、フレーム部分７Ａ１は泡立ち防止壁として機能するようになる。
【００３１】
なお、フレーム７Ａに泡立ち防止壁を形成する他の構成として、フレーム７Ａのうち、下部に位置したフレーム部分であって加湿フィルタ７の送風入口側に位置するフレーム部分７Ａ２によって、加湿フィルタ７の通気路７Ｃのうち、水槽６の水面Ｌ１付近の通気路７Ｃを加湿フィルタ７の送風入口側において、加湿フィルタ７の送風出口側での泡立ち防止高さＬ２まで塞いだ構成を採用する方法でもよい。このため、フレーム部分７Ａ２は、水槽６の水面Ｌ１と同等位置にある通気路７Ｃから、泡立ちを防止できる所定高さＬ２までの高さにある通気路７Ｃを塞ぐように上下幅を広くしている。
【００３２】
泡立ち防止壁を加湿フィルタ７側に形成する方法として、上記のように、加湿フィルタ７のフィルタブロック７Ｂを取り囲むフレーム７Ａのうち、下部のフレーム部分を水面Ｌ１よりも若干高くして、その部分の通風を制限することにより泡立ち防止が達成できるため、特別な部品を必要とせずに泡立ち防止壁の形成ができるため、泡立ち防止構造が簡素化される。この場合、好ましくは、加湿フィルタ７の送風出口側の下部フレーム７Ａ１を若干水面よりも高くすることによって達成できるため、水槽６に組み合わされる加湿フィルタ７の取り付け位置が確定すれば、それに合ったフレーム７Ａ１の高さ形状とすればよいため、フレーム７Ａを合成樹脂成形することによって、簡単に対応できるものとなる。
【実施例２】
【００３３】
実施例２の構成として、泡立ち防止壁を加湿フィルタ７側に形成するのではなく、水槽６側に形成することができる。その構成として、加湿フィルタ７の送風入口面又は送風出口側面において、水槽６の水面Ｌ１付近の通気路７Ｃを通過する送風を制限するように、水槽６の底壁から水槽６の水面Ｌ１から上方へ突出した泡立ち防止壁を形成することができる。
【００３４】
実施例２の構成の一つとして、図６に本発明に係る加湿器の送風機対応部分の縦断側面図で示している。この構成は、加湿フィルタ７のフレーム７Ａによって泡立ち防止障壁を形成する代わりに、加湿フィルタ７の送風入口面に近接した位置に泡立ち防止壁を設けるものである。このため、その他の部分に係る加湿器１の構成は、実施例１で示した構成と同様であるため、実施例１における説明とそれに係る各部の符号は実施例１のものを援用するものとする。
【００３５】
実施例２に係る具体的構成の一つは、図６に示すように、加湿器本体２の下部には水槽６が設けられ、吸い込み口４と吹き出し口５を連通する通風路１０に送風機８と水槽６の水中に下部が浸された加湿フィルタ７とが配置され、送風機８からの送風が加湿フィルタ７を通過することによって周囲の空気を加湿する加湿器１において、加湿フィルタ７の送風出口面又は送風入口面に近接又は当接して、加湿フィルタ７の送風出口側における水槽６の水面を伝う送風を制限する泡立ち防止壁６Ｄ１を水槽６の水面上に突出配置したものである。この泡立ち防止壁６Ｄ１は、合成樹脂製の水槽６の底壁と一体成形によって形成することができ、加湿フィルタ７の送風出口側での泡立ち防止高さＬ２までの高さに形成されている。
【００３６】
図６には、加湿フィルタ７の送風出口面と送風入口面に近接又は当接する泡立ち防止壁６Ｄ１を形成した形態を示している。この場合、加湿フィルタ７の送風出口面に近接又は当接する泡立ち防止壁６Ｄ１によって、水槽６の水面Ｌ１付近の通気路７Ｃを通過する送風を制限し易く、水槽６に組み合わされる加湿フィルタ７の取り付け位置が確定すれば、それに合ったフレーム７Ａ１の高さ形状とすればよいため、フレーム７Ａを合成樹脂成形することによって、簡単に対応できるものとなる。
【００３７】
加湿フィルタ７を支持するために、水槽６のフィルタ室６Ｆ内の左右側壁下部には前後一対のリブ６Ｄが形成されているが、このリブ６Ｄの一方又は両方を兼用するように泡立ち防止壁６Ｄ１を形成することができる。図６には、このリブ６Ｄの両方を兼用するように泡立ち防止壁６Ｄ１を形成した形態を示している。
【実施例３】
【００３８】
実施例３の構成として、加湿フィルタ７のフィルタブロック７Ｂの通気路７Ｃのうち、水槽６の水面Ｌ１付近の通気路７Ｃを高さＬ２の範囲まで、即ち、水槽６の水面Ｌ１付近の通気路７Ｃを、水面Ｌ１下から加湿フィルタ７の送風出口側での泡立ち防止高さＬ２まで塞ぐように、フィルタブロック７Ｂの送風入口面又は送風出口側面にシールテープ等を貼着する方法がある。勿論、フィルタブロック７Ｂの送風入口面と送風出口側面にシールテープ等を貼着してもよい。このような方法によれば、加湿器１の構成によって水槽６の水位Ｌ１が異なる場合にも、容易に対応できることとなる。
【産業上の利用可能性】
【００３９】
本発明は、加湿器の形態は上記形態に限定されず、本発明の技術的範囲を逸脱しない限り種々の加湿器の形態に適用できるものである。
【図面の簡単な説明】
【００４０】
【図１】本発明に係る加湿器の正面斜視図である。（実施例１）
【図２】本発明に係る加湿器の前面パネルを外した状態の本体正面斜視図である。（実施例１）
【図３】本発明に係る加湿器の前面パネルを外した状態で水槽を引き出した状態の本体正面斜視図である。（実施例１）
【図４】本発明に係る加湿器の送風機対応部分の縦断側面図である。（実施例１）
【図５】本発明に係る加湿器の水槽を収納した状態の水位検出電極の配置を示す縦断側面図である。（実施例１）
【図６】実施例２の構成を示す本発明に係る加湿器の送風機対応部分の縦断側面図である。（実施例２）
【符号の説明】
【００４１】
１・・・加湿器
２・・・加湿器本体
２Ｓ・・水槽収納部
３・・・前面パネル
４・・・吸い込み口
５・・・吹き出し口
６・・・水槽
６Ｄ１・・泡立ち防止壁
７・・・加湿フィルタ
７Ａ・・フレーム
７Ａ１・・泡立ち防止壁
７Ｂ・・・フィルタブロック
８・・・送風機
１０・・通風路
１５・・ファンケーシング
１９・・給水タンク
２１・・操作部
２２Ａ〜２２Ｅ・・スイッチ
４０・・電極
４２・・電極ホルダ
【図１】
2006046795.tif 000003
【図２】
2006046795.tif 000004
【図３】
2006046795.tif 000005
【図４】
2006046795.tif 000006
【図５】
2006046795.tif 000007
【図６】
2006046795.tif 000008